(57)【要約】【課題】検査機関が医療機関から回収する検体容器の本数を確実に認識する。【解決手段】検体容器４０を識別可能な情報をＲＦ−ＩＤメディア４１に書き込みこのＲＦ−ＩＤメディア４１を検体容器４０に装着しておき、また、検査依頼書３０を識別可能なシートＩＤ３１を検査依頼書３０に記載しておき、医療機関２０から検査依頼書３０及び検体容器４０を回収する際に、検査依頼書３０からシートＩＤ３１を読み取るとともに、ＲＦ−ＩＤメディア４１に書き込まれた情報を読み取る。【選択図】図１
2006029818.tif 000002
【特許請求の範囲】
【請求項１】
検体を収容するための検体容器と、前記検体容器に収容された検体を用いて検査を依頼するための検査依頼書とを対応づけて前記検体を管理する検体管理システムであって、
前記検体容器には、該検体容器を識別可能な第１の識別情報が書き込まれたＲＦ−ＩＤメディアが装着され、
前記検査依頼書には、該検査依頼書を識別可能な第２の識別情報が記載され、
前記ＲＦ−ＩＤメディアに書き込まれた前記第１の識別情報、並びに前記検査依頼書に記載された前記第２の識別情報を読み取り可能に構成された読取手段と、
該読取手段にて読み取られた前記第１の識別情報と前記第２の識別情報とを対応づけて管理する第１の管理手段とを有する検体管理システム。
【請求項２】
請求項１に記載の検体管理システムにおいて、
前記ＲＦ−ＩＤメディアには、前記検体容器に収容される検体を用いた検査種別を識別可能な第３の識別情報が書き込まれ、
前記第１の識別情報と前記第３の識別情報とを対応づけて管理する第２の管理手段を有し、
前記第１の管理手段は、前記読取手段にて読み取られた前記第１の識別情報及び前記第２の識別情報と、前記第２の管理手段にて前記第１の識別情報と対応づけられた前記第３の識別情報とを対応づけて管理することを特徴とする検体管理システム。
【請求項３】
検体を収容するための検体容器と、前記検体容器に収容された検体を用いて検査を依頼するための検査依頼書とが第１の機関から第２の機関に納入され、前記第２の機関にて前記検査依頼書に検査種別及び該検査種別に含まれる検査項目が記入されるとともに前記検体容器に検体が収容され、前記検査種別及び前記検査項目が記入された前記検査依頼書並びに前記検体が収容された前記検体容器が前記第１の機関にて回収され、前記第１の機関にて前記第２の機関から回収した前記検査依頼書に記入された検査項目に従って、前記検体容器に収容された検体を用いた検査を行う検体管理システムであって、
前記検体容器には、該検体容器を識別可能な第１の識別情報が書き込まれたＲＦ−ＩＤメディアが装着され、
前記検査依頼書には、該検査依頼書を識別可能な第２の識別情報が記載され、
前記ＲＦ−ＩＤメディアに書き込まれた前記第１の識別情報、並びに前記検査依頼書に記載された前記第２の識別情報を読み取り可能に構成された読取手段と、
該読取手段にて読み取られた前記第１の識別情報と前記第２の識別情報とを対応づけて管理する第１の管理手段と、
前記第１の識別情報と、該第１の識別情報が書き込まれたＲＦ−ＩＤメディアが装着された検体容器の納入先情報とを対応づけて管理する第２の管理手段と、
前記第２の識別情報と、該第２の識別情報が記載された検査依頼書の納入先情報とを対応づけて管理する第３の管理手段とを有する検体管理システム。
【請求項４】
請求項３に記載の検体管理システムにおいて、
前記ＲＦ−ＩＤメディアには、前記検体容器に収容された検体を用いた検査種別を識別可能な第３の識別情報が書き込まれ、
前記第２の管理手段は、前記第１の識別情報と、前記第３の識別情報と、当該第１の識別情報及び第３の識別情報が書き込まれたＲＦ−ＩＤメディアが装着された検体容器の納入先情報とを対応づけて管理し、
前記第１の管理手段は、前記読取手段にて読み取られた前記第１の識別情報及び前記第２の識別情報と、前記第２の管理手段にて前記第１の識別情報と対応づけられた第３の識別情報とを対応づけて管理することを特徴とする検体管理システム。
【発明の詳細な説明】
【技術分野】
【０００１】
本発明は、被験者から採取した血液等の検体を検体容器に収容し、この検体容器を検査依頼書と対応づけて管理する検体管理システムに関する。
【背景技術】
【０００２】
従来より、病院等の医療機関において、病気の診療等のために血液等の検体を採取することが行われている。このように採取された検体は検体容器に収容され、一般的には、医療機関の名称や被験者の名前、検査種別及び検査項目等が記入された検査依頼書とともに、検体の検査を行う検査機関に送られ、検査機関にて検体の検査が行われることになる。
【０００３】
図４は、従来の検体管理システムにおける処理の一例を説明するためのフローチャートである。
【０００４】
まず、検体を収容する検体容器と、医療機関の名称や被験者の名前、検査種別及び検査項目等が記入されるための検査依頼書とが検査機関から医療機関に持ち込まれる（ステップＳ１０１）。なお、検査依頼書には、検査依頼書毎にシートＩＤがバーコード情報によって印刷されており、また、この検査依頼書が持ち込まれる医療機関の名称が検査機関にて予め印刷されている場合もある。また、検体容器は、検査種別に応じて、例えばキャップ部の色が異なる等、外部から検査種別が識別可能となっている。ここで、検査種別とは、少なくとも１つの検査項目からなるものであって、１つの検体容器に収容された検体を用いて１つの検査種別に対する検査が行われる。すなわち、同じ検査種別の複数の検査項目についての検査を行う場合は、１つの検体容器に収容された検体を用いて検査が行われることになり、１人の被験者について検査を行う検査種別の数分の検体容器が必要となる。
【０００５】
検査機関から持ち込まれた検体容器及び検査依頼書が医療機関にて受け入れられた後（ステップＳ１０２）、医療機関においては、検査を行う場合にまず、検査機関から持ち込まれた検査依頼書に、被験者の名前や検査種別及び検査項目等が医師によって記入される（ステップＳ１０３）。なお、検査種別及び検査項目においては、検査機関にて検査可能な検査種別及びその検査種別に属する検査項目が検査依頼書に全て記載されており、その中から被験者の検査種別及び検査項目が医師によって選択されることになる。また、上述したように検査種別毎に検体が必要となるため、選択された検査種別の数に応じて必要となる検体容器の本数が記入される。
【０００６】
次に、検査依頼書に記入された検査種別及び検査項目に従って検体が採取され、この検査依頼書に記入された検査種別に応じた検体容器に収容される（ステップＳ１０４）。ここで、上述したように、検体容器は、検査種別に応じて、例えばキャップ部の色が異なる等、外部から検査種別が識別可能となっているため、採取された検体をその検査種別に応じた検体容器に収容することができる。また、この際、検体が収容された検体容器には、医療機関の名称や被験者の名前が記入されたラベルが貼付される。
【０００７】
その後、検査機関において、検体が収容された検体容器と検査依頼書が医療機関から回収される（ステップＳ１０５）。この際、検査機関においては、まず、検査依頼書に記入された検体容器の本数と回収する検体容器の本数とが目視によって照合され、その後、どの医療機関からどの検査種別の検査に用いる検体をどれだけ回収したかが受領作業日誌等に記入される。なお、検体容器においては、上述したように外部から検査種別が識別可能となっているため、検体容器を見るだけで、どの検査種別の検査に用いる検体をどれだけ回収したかを認識することができる。また、この際、検査依頼書の控えが医療機関に渡される。
【０００８】
検体が収容された検体容器と検査依頼書が検査機関にて回収されると（ステップＳ１０６）、検査機関において、まず、医療機関から回収された検査依頼書及び検体容器に、それぞれバーコードラベルが貼付される（ステップＳ１０７）。なお、上述したように、検体容器には、医療機関の名称や被験者の名前が記入されたラベルが貼付されているため、検査機関においては、このラベルを用いて検査依頼書と検体容器とが照合され、対応する検査依頼書と検体容器とに同一のバーコード情報が記載されたバーコードラベルが貼付されることになる。なお、１枚の検査依頼書において複数の検査種別が選択されている場合、その検査種別の数だけ検体が採取され、それぞれ異なる検体容器に収容されることになる。すなわち、１枚の検査依頼書に対して複数の検体容器が用いられる場合も生じる。この場合においても、検査依頼書とその検査に用いられる検体容器とでは、それぞれ貼付されるバーコードラベルに記載されたバーコード情報は同一のものとなる。これにより、検体容器に収容された検体がどの検査依頼書によるものなのかを管理することができる。
【０００９】
次に、検査機関において、回収された検査依頼書に記入された検査項目に従って、医療機関から回収された検体容器に収容された検体の検査が行われる（ステップＳ１０８）。この際、検査依頼書とこの検査依頼書によって検査が行われる検体が収容された検体容器には、それぞれ同一のバーコード情報が記載されたバーコードラベルが貼付されているため、検体容器がどの検査依頼書によって依頼された検査に用いる検体が収容されているものであるかがわからなくなってしまうことはない。
【００１０】
その後、検査機関において、医療機関に検査結果が報告される（ステップＳ１０９）。検査機関においては、検体の検査が、この検体が収容された検体容器に貼付されたバーコードラベルを用いて管理されているため、検体の検査の終了後、検体容器のバーコードラベルに記載されたバーコード情報と、このバーコードラベルと同一のバーコードラベルが貼付された検査依頼書に印刷されたシートＩＤとが対応づけられ、シートＩＤを用いて検査結果が報告される。
【００１１】
医療機関においては、検査機関から検査結果の報告を受けた後、被験者毎に検査結果の報告書が作成される（ステップＳ１１０）。なお、検査機関からの検査結果の報告は、上述したように検査依頼書に印刷されたシートＩＤとともに検査結果が通知されることにより行われるが、医療機関においては、検査依頼書の控えが渡されているため、控えとして渡された検査依頼書のうち、検査結果とともに通知されたシートＩＤが印刷された検査依頼書が特定され、この検査依頼書に記入された被験者の名前や検査項目等の情報と検査機関から報告された検査結果とを用いて報告書が作成されることになる。
【００１２】
また、検体容器が収容されるラックにバーコードラベルを貼付しておき、このラックに検体容器を収容する際に、この検体容器に収容された検体を用いた検査を依頼するための検査依頼書に同一のバーコードラベルを貼付し、それにより、検査依頼書と検体容器とを対応づける技術も考えられている（例えば、特許文献１参照。）。
【特許文献１】特開２００３−２９４７６４号公報
【発明の開示】
【発明が解決しようとする課題】
【００１３】
しかしながら、上述したような従来の検体管理システムにおいては、検査機関にて医療機関から検体容器及び検査依頼書が回収される際に、検査依頼書に記入された検体容器の本数と回収する検体容器の本数とが照合されているが、その照合が目視によって行われているため、照合ミスが発生してしまう虞れがある。そのため、その後、検査依頼書に記入された検体容器の本数と回収する検体容器の本数とが一致しない場合、その原因が、検査機関にて検体容器及び検査依頼書を回収した際に、実際に医療機関から回収された検体容器の本数が検査依頼書に記入された本数とは異なっていたことによるものであるのか、もしくは検査機関において検体容器を紛失したり取り間違えたりしたことによるものであるのかを判断することができないという問題点がある。
【００１４】
また、医療機関から回収する検体容器の本数が多い場合、その本数を確認するための手間と時間がかかってしまうという問題点がある。
【００１５】
本発明は、上述したような従来の技術が有する問題点に鑑みてなされたものであって、検査機関が医療機関から回収する検体容器の本数を確実に認識することができ、また、医療機関から回収する検体容器の本数が多い場合であっても手間と時間をかけずに検体容器の本数を確認することができる検体管理システムを提供することを目的とする。
【課題を解決するための手段】
【００１６】
上記目的を達成するために本発明は、
検体を収容するための検体容器と、前記検体容器に収容された検体を用いて検査を依頼するための検査依頼書とを対応づけて前記検体を管理する検体管理システムであって、
前記検体容器には、該検体容器を識別可能な第１の識別情報が書き込まれたＲＦ−ＩＤメディアが装着され、
前記検査依頼書には、該検査依頼書を識別可能な第２の識別情報が記載され、
前記ＲＦ−ＩＤメディアに書き込まれた前記第１の識別情報、並びに前記検査依頼書に記載された前記第２の識別情報を読み取り可能に構成された読取手段と、
該読取手段にて読み取られた前記第１の識別情報と前記第２の識別情報とを対応づけて管理する第１の管理手段とを有する。
【００１７】
また、前記ＲＦ−ＩＤメディアには、前記検体容器に収容される検体を用いた検査種別を識別可能な第３の識別情報が書き込まれ、
前記第１の識別情報と前記第３の識別情報とを対応づけて管理する第２の管理手段を有し、
前記第１の管理手段は、前記読取手段にて読み取られた前記第１の識別情報及び前記第２の識別情報と、前記第２の管理手段にて前記第１の識別情報と対応づけられた前記第３の識別情報とを対応づけて管理することを特徴とする。
【００１８】
また、検体を収容するための検体容器と、前記検体容器に収容された検体を用いて検査を依頼するための検査依頼書とが第１の機関から第２の機関に納入され、前記第２の機関にて前記検査依頼書に検査種別及び該検査種別に含まれる検査項目が記入されるとともに前記検体容器に検体が収容され、前記検査種別及び前記検査項目が記入された前記検査依頼書並びに前記検体が収容された前記検体容器が前記第１の機関にて回収され、前記第１の機関にて前記第２の機関から回収した前記検査依頼書に記入された検査項目に従って、前記検体容器に収容された検体を用いた検査を行う検体管理システムであって、
前記検体容器には、該検体容器を識別可能な第１の識別情報が書き込まれたＲＦ−ＩＤメディアが装着され、
前記検査依頼書には、該検査依頼書を識別可能な第２の識別情報が記載され、
前記ＲＦ−ＩＤメディアに書き込まれた前記第１の識別情報、並びに前記検査依頼書に記載された前記第２の識別情報を読み取り可能に構成された読取手段と、
該読取手段にて読み取られた前記第１の識別情報と前記第２の識別情報とを対応づけて管理する第１の管理手段と、
前記第１の識別情報と、該第１の識別情報が書き込まれたＲＦ−ＩＤメディアが装着された検体容器の納入先情報とを対応づけて管理する第２の管理手段と、
前記第２の識別情報と、該第２の識別情報が記載された検査依頼書の納入先情報とを対応づけて管理する第３の管理手段とを有する。
【００１９】
また、前記ＲＦ−ＩＤメディアには、前記検体容器に収容された検体を用いた検査種別を識別可能な第３の識別情報が書き込まれ、
前記第２の管理手段は、前記第１の識別情報と、前記第３の識別情報と、当該第１の識別情報及び第３の識別情報が書き込まれたＲＦ−ＩＤメディアが装着された検体容器の納入先情報とを対応づけて管理し、
前記第１の管理手段は、前記読取手段にて読み取られた前記第１の識別情報及び前記第２の識別情報と、前記第２の管理手段にて前記第１の識別情報と対応づけられた第３の識別情報とを対応づけて管理することを特徴とする。
【００２０】
上記のように構成された本発明においては、読取手段において、検体容器に装着されたＲＦ−ＩＤメディアに書き込まれた第１の識別情報と、検査依頼書に記載されたこの検査依頼書を識別可能な第２の識別情報とが読み取られると、第１の管理手段において、読取手段にて読み取られた第１の識別情報と第２の識別情報とが対応づけて管理される。
【００２１】
このように、検体容器を識別可能な第１の識別情報が書き込まれたＲＦ−ＩＤメディアを検体容器に装着しておき、また、検査依頼書を識別可能な第２の識別情報を検査依頼書に記載しておき、このＲＦ−ＩＤメディアから第１の識別情報を読み取るとともに、検査依頼書から第２の識別情報を読み取る構成としたため、検体容器と検査依頼書とを容易に対応づけて管理することができ、例えば、検体容器に収容された検体を用いた検査を行う検査機関において、検体容器に検体を収容する医療機関から検体容器を回収する場合、検体容器の本数を確実に認識することができるとともに、医療機関から回収する検体容器の本数が多い場合であっても手間と時間をかけずに検体容器の本数を確認することができるようになる。
【００２２】
また、上述した第１の識別情報を、検体容器及び検査依頼書の納入先情報と対応づけて管理しておけば、納入先毎に検体容器及び検査依頼書の数を管理することができる。
【発明の効果】
【００２３】
以上説明したように本発明においては、検体容器を識別可能な第１の識別情報をＲＦ−ＩＤメディアに書き込みこのＲＦ−ＩＤメディアを検体容器に装着しておき、また、検査依頼書を識別可能な第２の識別情報を検査依頼書に記載しておき、このＲＦ−ＩＤメディアから第１の識別情報を読み取るとともに、検査依頼書から第２の識別情報を読み取る構成としたため、検体容器と検査依頼書とを容易に対応づけて管理することができ、例えば、検体容器に収容された検体を用いた検査を行う検査機関において、検体容器に検体を収容する医療機関から検体容器を回収する場合、検体容器の本数を確実に認識することができるとともに、医療機関から回収する検体容器の本数が多い場合であっても手間と時間をかけずに検体容器の本数を確認することができる。
【００２４】
また、上述した第１の識別情報を、検体容器及び検査依頼書の納入先情報と対応づけて管理しておけば、納入先毎に検体容器及び検査依頼書の数を管理することができる。
【発明を実施するための最良の形態】
【００２５】
以下に、本発明の実施の形態について図面を参照して説明する。
【００２６】
図１は、本発明の検体管理システムの実施の一形態を示す図である。
【００２７】
本形態は図１に示すように、検体を収容するための検体容器４０と、検体容器４０に収容された検体を用いて検査を依頼するための検査依頼書３０とが第１の機関である検査機関１０から第２の機関である医療機関２０に納入され、医療機関２０にて検査依頼書３０に検査種別及びこの検査種別に含まれる検査項目が記入されるとともに検体容器４０に検体が収容され、検査種別及び検査項目が記入された検査依頼書３０並びに検体が収容された検体容器４０が検査機関１０にて回収され、検査機関１０にて医療機関２０から回収した検査依頼書３０に記入された検査項目に従って、検体容器４０に収容された検体を用いた検査を行うものである。なお、検体容器４０には、ＲＦ−ＩＤメディア４１が装着され、このＲＦ−ＩＤメディア４１には、検体容器４０を識別可能な第１の識別情報となるＲＦ−ＩＤメディア４１のシリアル番号と、検体容器４０に収容される検体を用いた検査種別を識別可能な第３の識別情報である検査ＩＤとが書き込まれており、また、検査依頼書３０には、検査依頼書３０を識別可能な第２の識別情報であるシートＩＤ３１が記載されている。
【００２８】
検査機関１０には、第１の管理手段である総合情報管理部１３と、第２の管理手段である検体容器管理部１２と、第３の管理手段である依頼書管理部１１と、読取手段であるハンディターミナル１４とが設けられており、データベースとして、納入先情報データベース１５、依頼書管理データベース１６、検体容器情報データベース１７及び総合情報データベース１９を有している。
【００２９】
依頼書管理部１１は、納入先情報データベース１５に登録された納入先情報を参照し、検査依頼書３０に記載されたシートＩＤ３１とこの検査依頼書３０の納入先が医療機関２０である旨の情報とを互いに対応づけて依頼書管理データベース１６に登録する。
【００３０】
また、検体容器管理部１２は、納入先情報データベース１５に登録された納入先情報を参照し、検体容器４０に装着されたＲＦ−ＩＤメディア４１に書き込まれたＲＦ−ＩＤメディア４１のシリアル番号及び検査ＩＤと、この検体容器４０の納入先が医療機関２０である旨の情報とを互いに対応づけて検体容器情報データベース１７に登録する。
【００３１】
また、ハンディターミナル１４は、検査依頼書３０及び検体容器４０を医療機関２０から回収する際に、検査依頼書３０に記載されたシートＩＤ３１と検体容器４０に装着されたＲＦ−ＩＤメディア４１に書き込まれたＲＦ−ＩＤメディア４１のシリアル番号とを読み取り、読取情報１８として出力する。
【００３２】
また、総合情報管理部１３は、依頼書管理データベース１６及び検体容器情報データベース１７に登録された情報と、ハンディターミナル１４にて読み取られた読取情報１８とを用いて、検査依頼書３０と検体容器４０、並びにこれらが医療機関２０から回収された情報とを対応づけて総合情報データベース１９に登録する。
【００３３】
一方、この検査機関１０から検査依頼書３０及び検体容器４０が納入される医療機関２０には、検査機関１０から納入された検査依頼書３０に記入された情報を依頼書管理データベース２３に登録する依頼書データ登録部２１と、検査機関１０から報告された検査結果を検査結果データベース２４に登録する検査結果登録部２２とが設けられている。
【００３４】
以下に、上記のように構成された検体管理システムにおける処理について説明する。
【００３５】
図２は、図１に示した検体管理システムにおける処理を説明するためのフローチャートである。
【００３６】
検査機関１０から医療機関２０に検体容器３０が納入されることになると、まず、検査機関１０の依頼書管理部１１において、検体容器３０に収容される検体を用いての検査を依頼するための検査依頼書３０を医療機関２０に納入することが、依頼書管理データベース１６に登録される（ステップＳ１）。ここで、検査機関１０から医療機関２０に納入される検査依頼書３０には、検査依頼書３０を識別可能なシートＩＤ３１がバーコード情報によって印刷されているため、依頼書管理部１１において、このシートＩＤ３１が読み取られ、読み取られたシートＩＤ３１と納入先である医療機関２０を示す情報とが対応づけて登録される。例えば、検査依頼書３０が封筒等に封入されて医療機関２０に納入される場合、検査依頼書３０が封入される封筒に、医療機関２０を識別可能な納入先ＩＤをバーコード情報等によって印刷しておき、また、納入先情報データベース１５には、納入先毎に納入先ＩＤを登録しておき、依頼書管理部１１において、封筒に印刷された納入先ＩＤを読み取り、納入先情報データベース１５を参照して納入先ＩＤによって識別される納入先を認識し、その納入先を示す情報をシートＩＤ３１と対応づけて登録すること等が考えられる。
【００３７】
また、検査機関１０の検体容器管理部１２において、検体容器４０が医療機関２０に納入されることが検体容器情報データベース１７に登録される（ステップＳ２）。ここで、検査機関１０から医療機関２０に納入される検体容器４０にはＲＦ−ＩＤメディア４１が装着されており、このＲＦ−ＩＤメディア４１には、ＲＦ−ＩＤメディア４１のシリアル番号と、検体容器４０に収容される検体を用いた検査種別を識別可能な検査ＩＤとが書き込まれている。そのため、検体容器管理部１２において、ＲＦ−ＩＤメディア４１に書き込まれたＲＦ−ＩＤメディア４１のシリアル番号と検査ＩＤとが読み取られ、読み取られたＲＦ−ＩＤメディア４１のシリアル番号及び検査ＩＤと納入先である医療機関２０を示す情報とが対応づけて登録される。例えば、複数の検体容器４０が箱に収納されて医療機関２０に納入される場合、検体容器４０が収納される箱に、医療機関２０を識別可能な納入先ＩＤをバーコード情報等によって印刷しておき、また、納入先情報データベース１５には、納入先毎に納入先ＩＤを登録しておき、検体容器管理部１２において、箱に印刷された納入先ＩＤを読み取り、納入先情報データベース１５を参照して納入先ＩＤによって識別される納入先を認識し、その納入先を示す情報をＲＦ−ＩＤメディア４１のシリアル番号及び検査ＩＤと対応づけて登録すること等が考えられる。なお、ＲＦ−ＩＤメディア４１のシリアル番号によって検体容器４０が識別可能となる。また、検体容器４０が納入される箱に、その箱を識別可能なケースコードをバーコード情報等によって印刷しておけば、ＲＦ−ＩＤメディア４１のシリアル番号及び検査ＩＤとこのケースコードとを対応づけて管理することもできる。また、検体容器４０は、上述したものと同様に、検査種別に応じて、例えばキャップ部の色が異なる等、外部から検査種別が識別可能となっている。なお、検査種別とは、少なくとも１つの検査項目からなるものであって、１つの検体容器に収容された検体を用いて１つの検査種別に対する検査が行われる。すなわち、同じ検査種別の複数の検査項目についての検査を行う場合は、１つの検体容器に収容された検体を用いて検査が行われることになり、１人の被験者について検査を行う検査種別の数分の検体容器が必要となる。
【００３８】
その後、検体容器４０と検査依頼書３０とが検査機関１０から医療機関２０に持ち込まれることになる（ステップＳ３）。
【００３９】
検査機関１０から持ち込まれた検体容器４０及び検査依頼書３０が医療機関２０にて受け入れられた後（ステップＳ４）、医療機関２０においては、検査を行う場合にまず、検査機関１０から持ち込まれた検査依頼書３０に、被験者の名前や検査種別及び検査項目等が医師によって記入される（ステップＳ５）。
【００４０】
図３は、図１に示した検査依頼書３０の一例を示す図である。
【００４１】
図３に示すように、本形態における検査依頼書３０には、医療機関の名称や施設コードが記入されるための領域３２と、被験者の名前や性別等の個別情報やカルテＮｏを記入するための領域３３と、検査種別を指定するとともに、指定された検査種別の数に応じて検査に用いる検体が収容された検体容器の本数を記入するための領域３４と、領域３４にて指定された検査種別のうち検査を行う検査項目を指定するための領域３５とが設けられている。
【００４２】
医療機関２０においては、検査を行う場合に、検査機関１０から持ち込まれた検査依頼書３０に対して、医療機関の名称や施設コードが領域３２に記入され、また、被験者の名前や性別等の個別情報やカルテＮｏが領域３３に記入され、また、領域３４にて検査種別が指定されるとともに、指定された検査種別の数に応じて検査に用いる検体が収容された検体容器の本数が記入され、また、領域３４にて指定された検査種別のうち検査を行う検査項目が領域３５にて指定されることになる。なお、領域３２においては、医療機関の名称や施設コードが検査機関１０にて予め印刷されている場合もある。
【００４３】
次に、医療機関２０の依頼書データ登録部２１において、検査依頼書３０に記入された情報が依頼書管理データベース２３に登録される（ステップＳ６）。この際、依頼書データ登録部２１においては、検査依頼書３０に記載されたシートＩＤ３１が読み取られ、検査依頼書３０に記入された情報がこのシートＩＤ３１と対応づけて依頼書管理データベース２３に登録されることになる。
【００４４】
次に、医療機関２０において、検査依頼書３０の領域３５にて指定された検査項目に従って検体が採取され、この検査項目が含まれる検査種別を識別可能に構成された検体容器４０に検体が収容される（ステップＳ７）。ここで、上述したように、検体容器４０は、外部から検査種別が識別可能となっているとともに、この検査種別を識別可能な検査ＩＤが書き込まれたＲＦ−ＩＤメディア４１が装着されている。そのため、採取された検体を、外部からその検査種別が識別可能となっている検体容器４０に収容することにより、採取された検体が、この検体の検査種別を識別可能な検査ＩＤが書き込まれたＲＦ−ＩＤメディア４１が装着された検体容器４０に収容されることになる。
【００４５】
その後、検査機関１０において、検体が収容された検体容器４０と検査依頼書３０が医療機関２０から回収される（ステップＳ８）。この際、検査機関１０においては、まず、ハンディターミナル１４を用いて、回収される検査依頼書３０にバーコード情報によって記載されたシートＩＤ３１が読み取られる（ステップＳ９）。また、ハンディターミナル１４を用いて、回収される検体容器４０に装着されたＲＦ−ＩＤメディア４１に書き込まれたＲＦ−ＩＤメディア４１のシリアル番号が読み取られる（ステップＳ１０）。このため、ハンディターミナル１４は、バーコード情報を読取可能に構成されているとともに、ＲＦ−ＩＤメディア４１からの情報の読み取りが可能に構成されている必要がある。また、ハンディターミナル１４に、依頼書管理データベース１６や検体容器情報データベース１７に登録されたデータをダウンロードする機能を設ければ、検査依頼書３０からシートＩＤ３１が読み取られた際に、その検査依頼書３０の納入先が医療機関２０であることを確認することができ、また、検体容器４０に装着されたＲＦ−ＩＤメディア４１からＲＦ−ＩＤメディア４１のシリアル番号が読み取られた際に、その検体容器４の検査種別を確認することができる。
【００４６】
ハンディターミナル１４にて検査依頼書３０から読み取られたシートＩＤと、検体容器４０に装着されたＲＦ−ＩＤメディア４１から読み取られたＲＦ−ＩＤメディア４１のシリアル番号とは、ハンディターミナル１４におけるこれらの情報の読み取り日時情報とともに読取情報１８として出力される。
【００４７】
また、検査機関１０にて医療機関２０から回収する検体容器４０の数が多い場合等においては、ＲＦ−ＩＤメディアからの情報を読み取り可能な読取部を有してなるゲートを設けておき、また、医療機関２０から回収する複数の検体容器４０を箱に収納しておき、検査機関１０にて医療機関２０から検体容器４０を回収する際に、検体容器４０が収納された箱をこのゲートを通過させれば、医療機関２０から回収される検体容器４０の数を手間をかけずに認識することができる。
【００４８】
検体が収容された検体容器４０と検査依頼書３０が検査機関１０にて回収されると、検査機関１０において、まず、総合情報管理部１３において、依頼書管理データベース１６及び検体容器情報データベース１７に登録された情報と、ハンディターミナル１４にて読み取られた読取情報１８とを用いて、検査依頼書３０と検体容器４０、並びにこれらが医療機関２０から回収された情報とが対応づけて総合情報データベース１９に登録される（ステップＳ１１）。具体的には、検査依頼書３０から読み取られたシートＩＤ３１と、その検査依頼書３０の納入先情報と、ＲＦ−ＩＤメディア４１から読み取られたＲＦ−ＩＤメディア４１のシリアル番号と、このシリアル番号に対応づけられて検体容器情報データベース１７に登録された検査ＩＤと、検体容器４０の納入先情報と、ハンディターミナル１４における情報の読み取り日時情報とが互いに対応づけて登録される。なお、検体容器４０が納入される箱に、その箱を識別可能なケースコードをバーコード情報等によって印刷しておいた場合は、このケースコードもこれらの情報と対応づけて登録されることになる。これにより、検査依頼書３０のシートＩＤ３１と、この検査依頼書３０に基づいて検査が行われる検体が収容された検体容器４０に装着されたＲＦ−ＩＤメディア４１のシリアル番号と、その検体容器４０に収容された検体を用いた検査種別を識別可能な検査ＩＤとが対応づけられることになる。そのため、どの検体容器４０がどの検査依頼書３０によって検査が行われる検体が収容されたものであるかを管理することができるとともに、検査依頼書３０に基づいて検査が行われる検体が収容された検体容器４０の本数を確実に認識することができる。また、医療機関２０から回収された検体容器４０の検査種別毎の本数を確認することができ、さらには、検査機関１０から検体容器４０及び検査依頼書３０が納入された医療機関が複数ある場合、回収された検体容器４０の本数や検査依頼書３０の枚数を医療機関毎に把握することができる。
【００４９】
次に、検査機関１０において、医療機関２０から回収された検査依頼書３０に記入された検査項目に従って、医療機関２０から回収された検体容器４０に収容された検体を用いた検査が行われる（ステップＳ１２）。この際、総合情報管理部１３において、検査依頼書３０に記載されたシートＩＤ３１と、検体容器４０に装着されたＲＦ−ＩＤメディア４１のシリアル番号とが互いに対応づけて管理されているため、検体容器４０がどの検査依頼書３０によって依頼された検査に用いる検体が収容されているものであるかがわからなくなってしまうことはない。
【００５０】
その後、検査機関１０において、医療機関２０に検査結果が報告される（ステップＳ１３）。なお、この検査結果の報告は、検査依頼書３０に記載されたシートＩＤ３１とともに検査結果が通知されることにより行われる。
【００５１】
医療機関２０においては、検査機関から検査結果の報告を受けた後、被験者毎に検査結果の報告書が作成される（ステップＳ１４）。なお、検査機関からの検査結果の報告は、検査依頼書３０に記載されたシートＩＤ３１とともに検査結果が通知されることにより行われるが、医療機関２０においては、依頼書管理データベース２３において、検査依頼書３０に記入された情報がシートＩＤ３１と対応づけて登録されているため、通知された検査結果がどの検査依頼書３０によるものなのかを認識することができ、認識された検査依頼書３０に記入された情報と検査機関１０から通知された検査結果とを用いて報告書が作成されることになる。
【００５２】
その後、医療機関２０においては、検査結果登録部２２において、依頼書管理データベース２３に登録された情報と検査機関１０から通知された検査結果とを用いて検査結果が検査結果データベース２４に登録される（ステップＳ１５）。なお、この場合においても、検査結果登録部２２においては、依頼書管理データベース２３に登録された情報のうち、検査機関１０から検査結果とともに通知されたシートＩＤに対応づけて登録された情報と、検査機関１０から通知された検査結果とを用いて検査結果を登録することになる。
【図面の簡単な説明】
【００５３】
【図１】本発明の検体管理システムの実施の一形態を示す図である。
【図２】図１に示した検体管理システムにおける処理を説明するためのフローチャートである。
【図３】図１に示した検査依頼書の一例を示す図である。
【図４】従来の検体管理システムにおける処理の一例を説明するためのフローチャートである。
【符号の説明】
【００５４】
１０    検査機構
１１    依頼書管理部
１２    検体容器管理部
１３    総合情報管理部
１４    ハンディターミナル
１５，２３    納入先情報データベース
１６    依頼書管理データベース
１７    検体容器情報データベース
１８    読取情報
１９    総合情報データベース
２０    医療機関
２１    依頼書データ登録部
２２    検査結果登録部
２４    検査結果データベース
３０    検査依頼書
３１    シートＩＤ
４０    検体容器
４１    ＲＦ−ＩＤメディア
【図１】
2006029818.tif 000003
【図２】
2006029818.tif 000004
【図３】
2006029818.tif 000005
【図４】
2006029818.tif 000006